(57)【要約】【課題】表示品位を保ちながら、半透過型の液晶表示装置の応答速度を速くする。【解決手段】液晶表示装置１０は、補正回路１１から出力された補正映像信号Ｖ２に基づきオーバーシュート駆動を行う。モード判定部１５は、光センサ８で検知された外光の強度Ｉｒに基づき、透過モードか反射モードかを判定する。補正回路１１は、透過モードでは、周囲温度Ｔｏに基づき透過モード用ＬＵＴ１３を選択し、入力映像信号Ｖ１に対して信号の時間的変化を強調する補正を行うが、反射モードではこの補正を行わない。補正回路は、複数の反射モード用ＬＵＴを含み、反射モードでも透過モードのときと同様の補正を行ってもよい。【選択図】図１
2007233061.tif 000002
【特許請求の範囲】
【請求項１】
半透過型の液晶表示装置であって、
透過部と反射部とを有する複数の画素を含む液晶パネルと、
前記液晶パネルの背面に光を照射するバックライトと、
入力映像信号に対して信号の時間的変化を強調する補正を行い、補正映像信号を出力する補正回路と、
前記補正映像信号に基づき、前記液晶パネルを駆動する駆動回路と、
前記液晶パネルの前面に入射する外光を検出する光センサとを備え、
前記補正回路は、前記光センサで検出された光の強度に基づき透過モードか反射モードかを判定し、当該判定結果に基づき前記入力映像信号に対する処理を切り替えることを特徴とする、液晶表示装置。
【請求項２】
周囲温度を検出する温度センサをさらに備え、
前記補正回路は、前記光センサで検出された光の強度と前記温度センサで検出された温度とに基づき、透過モードか反射モードかを判定することを特徴とする、請求項１に記載の液晶表示装置。
【請求項３】
前記液晶パネルの背面に入射するバックライト光を検出する光センサをさらに備え、
前記補正回路は、前記外光用の光センサで検出された光の強度と前記バックライト光用の光センサで検出された光の強度とに基づき、透過モードか反射モードかを判定することを特徴とする、請求項１に記載の液晶表示装置。
【請求項４】
前記補正回路は、透過モードと判定したときには、前記入力映像信号に対して補正を行った結果を前記補正映像信号として出力し、反射モードと判定したときには、前記入力映像信号をそのまま前記補正映像信号として出力することを特徴とする、請求項１に記載の液晶表示装置。
【請求項５】
周囲温度を検出する温度センサをさらに備え、
前記補正回路は、複数の透過モード用テーブルを含み、透過モードと判定したときには、前記透過モード用テーブルの中から、前記温度センサで検出された温度に応じて一のテーブルを選択し、選択したテーブルを用いて補正を行うことを特徴とする、請求項４に記載の液晶表示装置。
【請求項６】
前記補正回路は、透過モードと判定したときには、前記入力映像信号に対して補正を行った結果を前記補正映像信号として出力し、反射モードと判定したときには、前記入力映像信号に対して、透過モードのときとは異なる補正を行った結果を前記補正映像信号として出力することを特徴とする、請求項１に記載の液晶表示装置。
【請求項７】
周囲温度を検出する温度センサをさらに備え、
前記補正回路は、複数の透過モード用テーブルと複数の反射モード用テーブルとを含み、前記透過モード用テーブルと前記反射モード用テーブルとの中から、前記判定結果と前記温度センサで検出された温度とに応じて一のテーブルを選択し、選択したテーブルを用いて補正を行うことを特徴とする、請求項６に記載の液晶表示装置。
【請求項８】
前記補正回路は、反射モードと判定したときには、透過モードと判定したときよりも、信号の時間的変化をより少なく強調する補正を行うことを特徴とする、請求項６に記載の液晶表示装置。
【請求項９】
周囲温度を検出する温度センサをさらに備え、
前記補正回路は、透過モードと判定したときには、前記入力映像信号に対して補正を行った結果を前記補正映像信号として出力し、反射モードと判定し、かつ、前記温度センサで検出された温度が所定値以下であるときには、前記入力映像信号に対して、透過モードのときとは異なる補正を行った結果を前記補正映像信号として出力し、それ以外のときには、前記入力映像信号をそのまま前記補正映像信号として出力することを特徴とする、請求項１に記載の液晶表示装置。
【請求項１０】
前記補正回路は、複数の透過モード用テーブルと複数の反射モード用テーブルとを含み、透過モードと判定したとき、および、反射モードと判定し、かつ、前記温度センサで検出された温度が前記所定値以下であるときには、前記透過モード用テーブルと前記反射モード用テーブルとの中から、前記判定結果と前記温度センサで検出された温度とに応じて一のテーブルを選択し、選択したテーブルを用いて補正を行うことを特徴とする、請求項９に記載の液晶表示装置。
【請求項１１】
前記補正回路は、反射モードと判定したときには、透過モードと判定したときよりも、信号の時間的変化をより少なく強調する補正を行うことを特徴とする、請求項９に記載の液晶表示装置。
【発明の詳細な説明】
【技術分野】
【０００１】
本発明は、液晶表示装置に関し、特に、半透過型の液晶表示装置に関する。半透過型の液晶表示装置は、例えば携帯電話、ナビゲーション装置、携帯型ゲーム機などに使用される。
【背景技術】
【０００２】
液晶表示装置は省スペースで省電力という特徴を有し、その性能（視野角、コントラスト、色再現性、応答速度など）は近年著しく向上している。このため、テレビジョン受信機では、ブラウン管に代えて液晶パネルを使用する場合が増加している。また、液晶表示装置は、上記の特徴を有するために、携帯電話、ナビゲーション装置、携帯型ゲーム機などにも広く使用されている。液晶表示装置の用途は、今後も拡大を続けると予想される。
【０００３】
液晶表示装置に用いられる液晶パネルは、２枚の電極の間に液晶材料を挟み込んだ構造を有している。液晶材料（液晶分子）は誘電率異方性を有するので、液晶層に電圧を印加すると、液晶層内の液晶分子の長軸方向が変化する。また、液晶材料は光学異方性を有するので、液晶分子の長軸方向が変化すると、液晶層を透過する光の偏光方向が変化する。さらに、液晶層の両側にはそれぞれ偏光板が設けられるので、液晶層に印加された電圧に応じて、液晶層を透過する光の光量が変化する。したがって、液晶層に対して画素ごとに所定の電圧を印加することにより、各画素の輝度を所望の階調に制御し、液晶パネルに画像を表示することができる。
【０００４】
しかしながら、印加電圧の変化に応じて液晶材料が応答するためには、ある程度の時間がかかる。例えば、現在広く使用されているＴＮ（Twisted Nematic ）方式、ＩＰＳ（In Plane Switching）方式、ＶＡ（Vertically Aligned）方式などの液晶表示装置では、液晶材料が応答するまでに、遅い階調では５０ｍｓ程度かかる。また、液晶材料の応答速度は温度によって変化し、一般に温度が低いほど応答速度は遅くなることが知られている。
【０００５】
一方、テレビジョン信号のフィールド周波数は、ＮＴＳＣ（National Television System Committee）信号の場合は６０Ｈｚ、ＰＡＬ（Phase Alternation by Line ）信号の場合は５０Ｈｚであり、１フィールド時間の長さは、ＮＴＳＣ信号の場合は１６．７ｍｓ、ＰＡＬ信号の場合は２０ｍｓとなる。このため、１フィールド時間よりも遅れて液晶材料が応答すると、表示画面に残像が発生するなどして、動画像の表示品位が低下する。
【０００６】
そこで、液晶材料や駆動方法を工夫することにより、液晶表示装置の応答速度を速くする方法が、従来から開発されている。例えば特許文献１には、液晶層に対して本来印加すべき電圧よりも大きな電圧を印加する「オーバーシュート駆動」を行う方法が開示されている。オーバーシュート駆動では、現階調と目標階調の組合せに対応づけて補正階調を記憶したルックアップテーブル（以下、ＬＵＴという）が使用される。
【０００７】
図８は、オーバーシュート駆動を行う従来の液晶表示装置の構成を示すブロック図である。図８において、タイミング制御回路２は、液晶パネル１の駆動に必要なタイミング制御信号を生成し、走査信号線駆動回路３およびデータ信号線駆動回路４は、生成されたタイミング制御信号に従って液晶パネル１を駆動する。この際、データ信号線駆動回路４は、補正回路９１から出力された補正映像信号Ｖ２に基づき、液晶パネル１を駆動する。
【０００８】
補正回路９１は、ＬＵＴ９３、および、フレームメモリ９４を含んでいる。フレームメモリ９４は、入力映像信号Ｖ１を１フレーム分記憶する。ＬＵＴ９３は、例えば図９に示すように、現階調と目標階調の組合せに対応づけて、信号の時間的変化を強調した補正値（補正階調）を記憶している。ＬＵＴ９３は、フレームメモリ９４に記憶された前フレームの映像信号を現階調、入力映像信号Ｖ１を目標階調とし、現階調と目標階調の組合せに対応した補正階調を補正映像信号Ｖ２として出力する。
【０００９】
図１０を参照して、オーバーシュート駆動の効果を説明する。ここでは、入力映像信号Ｖ１が時刻ｔ０で階調ａから階調ｂ（ｂ＞ａ）に変化する場合（図１０（ａ）を参照）を考える。この場合、オーバーシュート駆動を行わなければ、表示階調は、図１０（ｃ）に太破線で示すように３フレーム時間かかってａからｂに変化するとする。
【００１０】
表示階調を１フレーム時間内にａからｂに変化させるために、補正回路９１は、図１０（ａ）に示す入力映像信号Ｖ１に基づき、図１０（ｂ）に示す補正映像信号Ｖ２を出力する。データ信号線駆動回路４は、時刻ｔ０以降の１フレーム時間では、階調ｃ（ｃ＞ｂ）の補正映像信号Ｖ２に基づきオーバーシュート駆動を行う。ただし、階調ｃは、時刻ｔ１における表示階調がｂとなるように決定される。図１０（ｂ）に示す補正映像信号Ｖ２に基づきオーバーシュート駆動を行うと、表示階調は、図１０（ｃ）に太実線で示すように１フレーム時間内にａからｂに変化する。
【００１１】
このように現階調と目標階調の組合せに対応づけて補正階調を記憶したＬＵＴを用いて、入力映像信号に対して信号の時間的変化を強調した補正を行い、補正映像信号に基づき液晶パネルを駆動することにより、液晶表示装置の応答速度を速くすることができる。なお、ここでは階調ｂが階調ａよりも高い場合について説明したが、階調ｂが階調ａよりも低い場合には、階調ｄ（ｄ＜ｂ）の補正映像信号に基づきオーバーシュート駆動を行うことにより、同様に液晶表示装置の応答速度を速くすることができる。
【００１２】
オーバーシュート駆動については、特許文献２に、ＬＵＴのサイズを縮小するために、ＬＵＴに含まれない階調については補間演算で補正階調を求めること、および、複数のＬＵＴの中から周囲温度に応じて１つのＬＵＴを選択することが開示されている。図１１は、特許文献２に開示された液晶表示装置の構成を示すブロック図である。図１１に示す補正回路９５は、ＬＵＴ選択部９２、複数のＬＵＴ９３、および、フレームメモリ９４を含んでいる。ＬＵＴ選択部９２は、温度センサ６に接続されたＡ／Ｄ変換器７から出力された周囲温度Ｔｏに応じて、複数のＬＵＴ９３の中から１つのＬＵＴを選択する。このように周囲温度に応じてＬＵＴを切り替えてオーバーシュート駆動を行うことにより、いずれの温度でも好適に応答速度を速くすることができる。
【００１３】
ところで、液晶表示装置には、透過型、反射型、半透過型などの種類がある。透過型の液晶表示装置はバックライトを備え、利用者は液晶層を透過したバックライト光を認識する。透過型の液晶表示装置は、例えばテレビジョン受信機やパーソナルコンピュータなど、主として屋内で使用される機器に用いられる。反射型の液晶表示装置はバックライトを備えておらず、利用者は外光（太陽光など）の反射光を認識する。反射型の液晶表示装置は、主として屋外で使用される機器に用いられる。
【００１４】
半透過型の液晶表示装置は、透過型と反射型の両方の特徴を有する。明るい場所ではバックライトを消灯させれば、半透過型の液晶表示装置は反射モードの表示（外光の反射光による表示）を行うことができる。暗い場所ではバックライトを点灯させれば、半透過型の液晶表示装置は透過モードの表示（バックライト光の透過光による表示）を行うことができる。したがって、半透過型の液晶表示装置によれば、明るい場所でも暗い場所でも高い視認性を実現することができる。このような特徴を有する半透過型の液晶表示装置は、例えば携帯電話、ナビゲーション装置、携帯型ゲーム機など、屋内と屋外の両方で使用される機器に用いられる。
【００１５】
図１２は、半透過型の液晶表示装置の画素の構成を示す断面図である。図１２に示すように、ＴＦＴ（Thin Film Transistor）基板６１には絶縁膜や電極６２、６３などが形成され、カラーフィルタ側基板６４には対向電極６５が形成される。ＴＦＴ基板６１とカラーフィルタ側基板６４は、電極６２、６３が形成された面と対向電極６５が形成された面とが対向するように、所定の間隔（ＲｄやＴｄ：以下、セル厚という）を空けて配置される。ＴＦＴ基板６１とカラーフィルタ側基板６４の間には液晶材料が充填され、これにより液晶層６６が形成される。電極６２、６３と対向電極６５の対向する面には、配向膜６７ａ〜ｃが形成される。
【００１６】
図１２に示す画素には、上方から外光７１が入射し、下方からバックライト光７２が入射する。外光７１は電極６２で反射し、バックライト光７２は電極６３を透過する。このように半透過型の液晶表示装置は、バックライト光７２を透過する電極６３で構成された部分（以下、透過部という）と、外光７１を反射する電極６２で構成された部分（以下、反射部という）とを有する複数の画素を含んでいる。したがって、半透過型の液晶表示装置によれば、バックライト光の透過光と外光の反射光とにより、透過モードの表示と反射モードの表示を同時に行うことができる。また、周囲の明るさに応じてバックライトを点灯または消灯させることにより、透過モードの表示と反射モードの表示を切り替えて行うことができる。
【００１７】
半透過型の液晶表示装置では、外光７１は液晶層６６を２回通過するのに対して、バックライト光７２は液晶層６６を１回しか通過しない。そこで、外光７１が液晶層６６を通過するときの経路長と、バックライト光７２が液晶層６６を通過するときの経路長とを一致させるために、一般に透過部と反射部では異なるセル厚が使用される。具体的には、反射部のセル厚Ｒｄは、透過部のセル厚Ｔｄの約半分に設定される。
【特許文献１】特開平１０−３９８３７号公報
【特許文献２】特開２００４−４６２９号公報
【発明の開示】
【発明が解決しようとする課題】
【００１８】
一般に液晶材料の応答速度については、電圧印加開始時も電圧印加停止時も、次式（１）が成り立つことが知られている。
応答時間  ∝  γ1・ｄ2／Ｋ33  …（１）
ただし、上式（１）において、γ1 は液晶の回転粘度、Ｋ33は液晶の弾性定数、ｄは液晶層の厚み（セル厚）である。
【００１９】
上式（１）に示すように、液晶材料の応答速度は、セル厚の２乗に比例して遅くなる。また、半透過型の液晶表示装置では、上述したように反射部のセル厚は透過部よりも薄いので、反射部は透過部よりも速く応答する。
【００２０】
ところが、従来の半透過型の液晶表示装置では、透過モードと反射モードの一方に合わせて、オーバーシュート駆動を行うときの補正階調が決定されている。このため、従来の半透過型の液晶表示装置では、透過モードと反射モードの一方で表示品位が低下する。
【００２１】
例えば、透過モードに合わせて補正階調を決定した場合、半透過型の液晶表示装置は、透過モードでは好適なオーバーシュート駆動を行い、高い表示品位を実現する。しかし、この液晶表示装置が反射モードでも同じオーバーシュート駆動を行うと、反射部は透過部よりも速く応答するために、表示階調は予定よりも大きく変化する。このため、反射モードでは、表示画面が瞬間的に白っぽく（あるいは黒っぽく）なるなどして、動画像の表示品位が著しく低下する。
【００２２】
例えば、透過モードに合わせて補正階調を決定した半透過型の液晶表示装置が、透過モードでは、図１３（ａ）〜（ｃ）に示すオーバーシュート駆動を行う場合を考える。なお、図１３（ａ）〜（ｃ）は、図１０（ａ）〜（ｃ）と同じ図である。この液晶表示装置が反射モードでも同じオーバーシュート駆動を行うと、表示階調は、図１３（ｄ）に示すように、透過モードのときよりも急峻に変化する。このため、表示階調は、１フレーム時間内に階調ｂを超え、場合によっては階調ｃに到達することがある。この結果、表示階調が階調ｂを超えた時間帯（図１３（ｄ）の斜線部）では、表示画面が白っぽく（あるいは黒っぽく）なる。
【００２３】
これとは逆に、反射モードに合わせて補正階調を決定した場合、半透過型の液晶表示装置は、反射モードでは好適なオーバーシュート駆動を行い、高い表示品位を実現する。しかし、この液晶表示装置が透過モードでも同じオーバーシュート駆動を行うと、透過部は反射部よりも遅く応答するために、表示階調は予定よりも小さくしか変化しない。このため、透過モードでは、表示階調が１フレーム時間内に所望の階調に到達せず、動画像の表示品位が低下する。
【００２４】
それ故に、本発明は、表示品位を保ちながら、半透過型の液晶表示装置の応答速度を速くすることを目的とする。
【課題を解決するための手段】
【００２５】
第１の発明は、半透過型の液晶表示装置であって、
透過部と反射部とを有する複数の画素を含む液晶パネルと、
前記液晶パネルの背面に光を照射するバックライトと、
入力映像信号に対して信号の時間的変化を強調する補正を行い、補正映像信号を出力する補正回路と、
前記補正映像信号に基づき、前記液晶パネルを駆動する駆動回路と、
前記液晶パネルの前面に入射する外光を検出する光センサとを備え、
前記補正回路は、前記光センサで検出された光の強度に基づき透過モードか反射モードかを判定し、当該判定結果に基づき前記入力映像信号に対する処理を切り替えることを特徴とする。
【００２６】
第２の発明は、第１の発明において、
周囲温度を検出する温度センサをさらに備え、
前記補正回路は、前記光センサで検出された光の強度と前記温度センサで検出された温度とに基づき、透過モードか反射モードかを判定することを特徴とする。
【００２７】
第３の発明は、第１の発明において、
前記液晶パネルの背面に入射するバックライト光を検出する光センサをさらに備え、
前記補正回路は、前記外光用の光センサで検出された光の強度と前記バックライト光用の光センサで検出された光の強度とに基づき、透過モードか反射モードかを判定することを特徴とする。
【００２８】
第４の発明は、第１の発明において、
前記補正回路は、透過モードと判定したときには、前記入力映像信号に対して補正を行った結果を前記補正映像信号として出力し、反射モードと判定したときには、前記入力映像信号をそのまま前記補正映像信号として出力することを特徴とする。
【００２９】
第５の発明は、第４の発明において、
周囲温度を検出する温度センサをさらに備え、
前記補正回路は、複数の透過モード用テーブルを含み、透過モードと判定したときには、前記透過モード用テーブルの中から、前記温度センサで検出された温度に応じて一のテーブルを選択し、選択したテーブルを用いて補正を行うことを特徴とする。
【００３０】
第６の発明は、第１の発明において、
前記補正回路は、透過モードと判定したときには、前記入力映像信号に対して補正を行った結果を前記補正映像信号として出力し、反射モードと判定したときには、前記入力映像信号に対して、透過モードのときとは異なる補正を行った結果を前記補正映像信号として出力することを特徴とする。
【００３１】
第７の発明は、第６の発明において、
周囲温度を検出する温度センサをさらに備え、
前記補正回路は、複数の透過モード用テーブルと複数の反射モード用テーブルとを含み、前記透過モード用テーブルと前記反射モード用テーブルとの中から、前記判定結果と前記温度センサで検出された温度とに応じて一のテーブルを選択し、選択したテーブルを用いて補正を行うことを特徴とする。
【００３２】
第８の発明は、第１の発明において、
前記補正回路は、反射モードと判定したときには、透過モードと判定したときよりも、信号の時間的変化をより少なく強調する補正を行うことを特徴とする。
【００３３】
第９の発明は、第１の発明において、
周囲温度を検出する温度センサをさらに備え、
前記補正回路は、透過モードと判定したときには、前記入力映像信号に対して補正を行った結果を前記補正映像信号として出力し、反射モードと判定し、かつ、前記温度センサで検出された温度が所定値以下であるときには、前記入力映像信号に対して、透過モードのときとは異なる補正を行った結果を前記補正映像信号として出力し、それ以外のときには、前記入力映像信号をそのまま前記補正映像信号として出力することを特徴とする。
【００３４】
第１０の発明は、第９の発明において、
前記補正回路は、複数の透過モード用テーブルと複数の反射モード用テーブルとを含み、透過モードと判定したとき、および、反射モードと判定し、かつ、前記温度センサで検出された温度が前記所定値以下であるときには、前記透過モード用テーブルと前記反射モード用テーブルとの中から、前記判定結果と前記温度センサで検出された温度とに応じて一のテーブルを選択し、選択したテーブルを用いて補正を行うことを特徴とする。
【００３５】
第１１の発明は、第９の発明において、
前記補正回路は、反射モードと判定したときには、透過モードと判定したときよりも、信号の時間的変化をより少なく強調する補正を行うことを特徴とする。
【発明の効果】
【００３６】
上記第１の発明によれば、外光の強度に基づき透過モードか反射モードかが判定され、当該判定結果に応じて入力映像信号に対する処理が切り替えられる。したがって、外光の強度が小さく透過モードと判定されたときでも、外光の強度が大きく反射モードと判定されたときでも、判定結果に応じて好適な程度のオーバーシュート駆動を行うことができる。よって、過剰あるいは不十分なオーバーシュート駆動による表示品位の低下を防止しながら、応答速度を速くすることができる。
【００３７】
上記第２の発明によれば、外光の強度と周囲温度とに基づき、透過モードか反射モードかが判定される。したがって、周囲温度の変化に伴いバックライト光の強度が変化しても、透過モードか反射モードかを正しく判定し、判定結果に応じて好適な程度のオーバーシュート駆動を行うことができる。よって、周囲温度の変化に伴いバックライト光の強度が変化する場合でも、表示品位の低下を防止しながら応答速度を速くすることができる。
【００３８】
上記第３の発明によれば、外光の強度とバックライト光の強度とに基づき、透過モードか反射モードかが判定される。したがって、周囲温度の変化やランプの連続点灯やランプの経年劣化などの理由によりバックライト光の強度が変化しても、透過モードか反射モードかを正しく判定し、判定結果に応じて好適な程度のオーバーシュート駆動を行うことができる。よって、種々の原因によりバックライト光の強度が変化する場合でも、表示品位の低下を防止しながら応答速度を速くすることができる。
【００３９】
上記第４の発明によれば、オーバーシュート駆動は透過モードでは行われるが、反射モードでは行われない。このように判定結果に応じてオーバーシュート駆動を行うか否かを切り替えることにより、表示品位の低下を防止しながら応答時間を速くすることができる。また、反射モードでは入力映像信号に対する補正を行わない分だけ、補正回路を簡素化することができる。
【００４０】
上記第５の発明によれば、透過モードでは、複数の透過モード用テーブルの中から周囲温度に応じて一のテーブルが選択され、選択されたテーブルを用いてオーバーシュート駆動が行われる。したがって、透過モードでは、いずれの温度でも好適に応答速度を速くすることができる。また、反射モード用テーブルは不要であるので、その分だけ補正回路を簡素化することができる。
【００４１】
上記第６の発明によれば、透過モードと反射モードでは、異なるオーバーシュート駆動が行われる。このように判定結果に応じてオーバーシュート駆動の程度を切り替えることにより、表示品位の低下を防止しながら応答時間を速くすることができる。
【００４２】
上記第７の発明によれば、透過モードでは複数の透過モード用テーブルの中から（反射モードでは複数の反射モード用テーブルの中から）周囲温度に応じて一のテーブルが選択され、選択されたテーブルを用いてオーバーシュート駆動が行われる。したがって、透過モードでも反射モードでも、いずれの温度でも好適に応答速度を速くすることができる。
【００４３】
上記第８の発明によれば、透過モードのときと比べて応答速度が速い反射モードでは、より少ない程度のオーバーシュート駆動が行われる。したがって、透過モードでも反射モードでも、表示品位の低下を防止しながら応答速度を速くすることができる。
【００４４】
上記第９の発明によれば、透過モードではオーバーシュート駆動が行われ、反射モードでは周囲温度が所定値以下である場合に限って、透過モードのときとは異なるオーバーシュート駆動が行われる。このように判定結果と周囲温度とに応じてオーバーシュート駆動を行うか否かとオーバーシュート駆動の程度とを切り替えることにより、表示品位の低下を防止しながら応答時間を速くすることができる。また、反射モードで周囲温度が所定値を超えるときには入力映像信号に対する補正を行わない分だけ、補正回路を簡素化することができる。
【００４５】
上記第１０の発明によれば、透過モードでは複数の透過モード用テーブルの中から（反射モードでは複数の反射モード用テーブルの中から）周囲温度に応じて一のテーブルが選択され、選択されたテーブルを用いてオーバーシュート駆動が行われる。したがって、透過モードでも反射モードでも、いずれの温度でも好適に応答速度を速くすることができる。また、周囲温度が所定値を超えるときの反射モード用テーブルは不要であるので、その分だけ補正回路を簡素化することができる。
【００４６】
上記第１１の発明によれば、透過モードのときと比べて応答速度が速い反射モードでは、より少ない程度のオーバーシュート駆動が行われる。したがって、透過モードでも反射モードでも、表示品位の低下を防止しながら応答速度を速くすることができる。
【発明を実施するための最良の形態】
【００４７】
（第１の実施形態）
図１は、本発明の第１の実施形態に係る液晶表示装置の構成を示すブロック図である。図１に示す液晶表示装置１０は、オーバーシュート駆動を行う半透過型の液晶表示装置であり、液晶パネル１、タイミング制御回路２、走査信号線駆動回路３、データ信号線駆動回路４、バックライト５、温度センサ６、Ａ／Ｄ変換器７、光センサ８、Ａ／Ｄ変換器９、および、補正回路１１を備えている。
【００４８】
図１において、液晶パネル１は、透過部と反射部とを有する複数の画素とを含んでいる。これらの画素は、行方向および列方向に並べて配置される。また、液晶パネル１には、複数の走査信号線と複数のデータ信号線とが設けられる。各走査信号線は同じ行に配置された画素に接続され、各データ信号線は同じ列に配置された画素に接続される。
【００４９】
タイミング制御回路２、走査信号線駆動回路３、および、データ信号線駆動回路４は、液晶パネル１を駆動する駆動回路として機能する。タイミング制御回路２は、液晶パネル１の駆動に必要なタイミング制御信号を生成する。走査信号線駆動回路３は、タイミング制御回路２で生成されたタイミング制御信号（ゲートクロックやゲートスタートパルスなど）に従い、液晶パネル１の走査信号線を駆動する。データ信号線駆動回路４は、タイミング制御回路２で生成されたタイミング制御信号（ソースクロックやソーススタートパルスなど）に従い、補正回路１１から出力された補正映像信号Ｖ２に基づき、液晶パネル１のデータ信号線を駆動する。
【００５０】
バックライト５は、液晶パネル１の背面に光を照射する光源である。バックライト５は、制御部（図示せず）からの制御に従い、周囲が暗いときには点灯し、周囲が明るいときには消灯する。以下、バックライト５から出力される光をバックライト光という。
【００５１】
温度センサ６は、液晶表示装置１０の周囲温度を検出し、検出した温度に応じたアナログ信号を出力する。Ａ／Ｄ変換器７は、温度センサ６の出力信号をデジタル信号に変換する。光センサ８は、液晶パネル１の前面に入射する外光（太陽光など）を検出し、検出した外光の強度に応じたアナログ信号を出力する。Ａ／Ｄ変換器９は、光センサ８の出力信号をデジタル信号に変換する。以下、Ａ／Ｄ変換器７から出力される信号を周囲温度Ｔｏ、Ａ／Ｄ変換器９から出力される信号を外光強度Ｉｒという。
【００５２】
補正回路１１は、入力映像信号Ｖ１に対して信号の変化を強調する補正を行い、補正映像信号Ｖ２を出力する。より詳細には、補正回路１１は、ＬＵＴ選択部１２、複数の透過モード用ＬＵＴ１３、フレームメモリ１４、モード判定部１５、および、スイッチ１６を含んでいる。フレームメモリ１４は、入力映像信号Ｖ１を少なくとも１フレーム分記憶する。透過モード用ＬＵＴ１３は、現階調と目標階調の組合せに対応づけて信号の時間的変化を強調した補正値（補正階調）を記憶している（図９を参照）。
【００５３】
ＬＵＴ選択部１２は、複数の透過モード用ＬＵＴ１３の中から、周囲温度Ｔｏに応じて１つのＬＵＴを選択する。選択されたＬＵＴには、入力映像信号Ｖ１と、フレームメモリ１４に記憶された前フレームの映像信号とが入力される。このＬＵＴは、フレームメモリ１４に記憶された前フレームの映像信号を現階調、入力映像信号Ｖ１を目標階調とし、現階調と目標階調の組合せに対応した補正階調を補正映像信号Ｖ２として出力する。
【００５４】
モード判定部１５は、外光強度Ｉｒに基づき、バックライト光の透過光による表示が主である状態（以下、透過モードという）か、外光の反射光による表示が主である状態（以下、反射モードという）かを判定する。より詳細には、モード判定部１５は、外光強度に関する閾値Ｘを記憶し、外光強度ＩｒがＸ以下であれば透過モード、外光強度ＩｒがＸを超えていれば反射モードと判定する。モード判定部１５は、判定結果を示すモード選択信号ＭＤを出力する。以下、モード選択信号ＭＤは、透過モードではローレベル、反射モードではハイレベルになるものとする。
【００５５】
モード判定部１５における閾値Ｘは、例えば、以下の方法で決定される。液晶パネル１の透過率をＴ、反射率をＲ、バックライト光の強度をＩＢとしたとき、液晶パネル１の前面側から見たときの外光の反射光の強度はＩｒ×Ｒ、バックライト光の透過光の強度はＩＢ×Ｔとなる。液晶パネル１の透過率Ｔと反射率Ｒは、液晶パネル１の構造によって固定的に決定される。また、ここでは、バックライト光の強度ＩＢは変化しないものとする。モード判定部１５は、透過光の強度が反射光の強度以上であるとき（すなわち、ＩＢ×Ｔ≧Ｉｒ×Ｒが成立するとき）には透過モードと判定し、透過光の強度が反射光の強度未満であるとき（すなわち、ＩＢ×Ｔ＜Ｉｒ×Ｒが成立するとき）には反射モードと判定する。このためには、ＩＢ×Ｔ＝Ｉｒ×Ｒを満たす外光の強度（すなわち、ＩＢ×Ｔ／Ｒ）を、モード判定部１５における閾値Ｘとして使用すればよい。
【００５６】
なお、モード判定部１５における閾値Ｘを上記以外の方法で決定してもよく、モード判定部１５は外光強度Ｉｒを閾値Ｘと比較する以外の方法で透過モードか反射モードかを判定してもよい。
【００５７】
スイッチ１６には、ＬＵＴ選択部１２によって選択された透過モード用ＬＵＴ１３から出力された補正階調と、入力映像信号Ｖ１と、モード選択信号ＭＤとが入力される。スイッチ１６は、モード選択信号ＭＤがローレベルのときには補正階調を、モード選択信号ＭＤがハイレベルのときには入力映像信号Ｖ１を、補正映像信号Ｖ２として出力する。
【００５８】
このように補正回路１１は、外光強度Ｉｒに基づき透過モードか反射モードかを判定し、透過モードと判定したときには、入力映像信号Ｖ１に対して補正（信号の時間的変化を強調した補正）を行った結果を補正映像信号Ｖ２として出力し、反射モードと判定したときには、入力映像信号Ｖ１をそのまま補正映像信号Ｖ２として出力する。また、補正回路１１は、複数の透過モード用ＬＵＴ１３を含み、透過モードと判定したときには、複数の透過モード用ＬＵＴ１３の中から周囲温度Ｔｏに応じて１つのＬＵＴを選択し、選択したテーブルを用いて補正を行う。液晶パネル１の駆動は、補正回路１１から出力された補正映像信号Ｖ２に基づき行われる。
【００５９】
図２を参照して、液晶表示装置１０の効果を説明する。ここでは、入力映像信号Ｖ１が時刻ｔ０で階調ａから階調ｂ（ｂ＞ａ）に変化する場合（図２（ａ）を参照）を考える。この場合、透過モードでオーバーシュート駆動を行わなければ、表示階調は、図２（ｃ）に太破線で示すように３フレーム時間かかってａからｂに変化するものとする。また、反射モードでオーバーシュート駆動を行うと、表示階調は図２（ｅ）に太破線で示すように変化し、時刻ｔ０から時刻ｔ２までの間に表示階調がｂを超える時間帯が現れるものとする。
【００６０】
補正回路１１は、透過モードと判定したときには、図２（ａ）に示す入力映像信号Ｖ１に基づき、図２（ｂ）に示す補正映像信号Ｖ２を出力する。データ信号線駆動回路４は、時刻ｔ０以降の１フレーム時間では、階調ｃ（ｃ＞ｂ）の補正映像信号Ｖ２に基づきオーバーシュート駆動を行う。ただし、階調ｃは、時刻ｔ１における表示階調がｂとなるように決定される。図２（ｂ）に示す補正映像信号Ｖ２に基づきオーバーシュート駆動を行うと、表示階調は、図２（ｃ）に太実線で示すように１フレーム時間内にａからｂに変化する。
【００６１】
また、補正回路１１は、反射モードと判定したときには、図２（ｄ）に示すように、入力映像信号Ｖ１をそのまま補正映像信号Ｖ２として出力する。データ信号線駆動回路４は、時刻ｔ０以降の１フレーム時間では、階調ｂの補正映像信号Ｖ２に基づき通常の駆動（オーバーシュート駆動でない駆動）を行う。図２（ｄ）に示す補正映像信号Ｖ２に基づき通常の駆動を行うと、表示階調は、図２（ｅ）に太実線で示すように、途中でｂを超えることなく１フレーム時間内にａからｂに変化する。このように液晶表示装置１０によれば、透過モードでも反射モードでも、表示階調は１フレーム時間内にａからｂに変化し、この際、表示階調が途中でｂを超えることはない。
【００６２】
以上に示すように、本実施形態に係る液晶表示装置は、外光の強度に基づき透過モードか反射モードを判定し、透過モードと判定したときにはオーバーシュート駆動を行い、反射モードと判定したときには通常の駆動（オーバーシュート駆動でない駆動）を行う。このように判定結果に応じてオーバーシュート駆動を行うか否かを切り替えることにより、過剰なオーバーシュート駆動による表示品位の低下を防止しながら、応答時間を速くすることができる。
【００６３】
また、この液晶表示装置は、透過モードでは複数の透過モード用テーブルの中から周囲温度に応じて１つのテーブルを選択し、選択したテーブルを用いてオーバーシュート駆動を行う。これにより、透過モードでは、いずれ温度でも好適に応答速度を速くすることができる。また、この液晶表示装置は反射モードでは入力映像信号に対する補正を行わないので、反射モード用テーブルは不要となる。したがって、その分だけ補正回路を簡素化することができる。
【００６４】
本実施形態は、オーバーシュート駆動を行わなければ透過部の応答時間は１フレーム時間を超えるが、オーバーシュート駆動を行わなくても反射部の応答時間は１フレーム時間を超えない半透過型の液晶表示装置に適している。
【００６５】
（第１の実施形態の変形例）
図１に示す液晶表示装置１０を、図３や図４に示すように変形することができる。図３に示す液晶表示装置２０は、モード判定部１５に代えてモード判定部２５を含んだ補正回路２１を備えている。モード判定部２５は、Ａ／Ｄ変換器７から出力された周囲温度Ｔｏと、Ａ／Ｄ変換器９から出力された外光強度Ｉｒとに基づき、透過モードか反射モードかを判定する。
【００６６】
一般に、バックライト光の強度は、周囲温度が低いほど低下する。モード判定部２５は、周囲温度に対応づけて外光強度に関する閾値Ｘを複数個記憶している。モード判定部２５は、複数の閾値Ｘの中から、Ａ／Ｄ変換器７から出力された周囲温度Ｔｏに基づき１つの閾値を選択し（以下、選択された閾値をＴｓという）、外光強度ＩｒがＴｓ以下であれば透過モードと判定し、外光強度ＩｒがＴｓを超えていれば反射モードと判定する。
【００６７】
このように、図３に示す液晶表示装置２０は、外光強度Ｉｒと周囲温度Ｔｏとに基づき透過モードか反射モードかを判定し、その判定結果に応じてオーバーシュート駆動を行うか否かを切り替える。したがって、液晶表示装置２０によれば、周囲温度の変化に伴いバックライト光の強度が変化しても、透過モードか反射モードかを正しく判定し、判定結果に応じて好適な程度のオーバーシュート駆動を行うことができる。よって、周囲温度の変化に伴いバックライト光の強度が変化する場合でも、表示品位の低下を防止しながら応答速度を速くすることができる。
【００６８】
図４に示す液晶表示装置３０は、モード判定部１５に代えてモード判定部３５を含んだ補正回路３１を備え、さらに光センサ３８、および、Ａ／Ｄ変換器３９を備えている。光センサ３８は、バックライト５から出力され、液晶パネル１の背面に入射するバックライト光を検出し、検出したバックライト光の強度に応じたアナログ信号を出力する。Ａ／Ｄ変換器３９は、光センサ３８の出力信号をデジタル信号に変換する。以下、Ａ／Ｄ変換器３９の出力をバックライト光強度ＩＢという。
【００６９】
モード判定部３５は、Ａ／Ｄ変換器９から出力された外光強度Ｉｒと、Ａ／Ｄ変換器３９から出力されたバックライト光強度ＩＢとに基づき、透過モードか反射モードかを判定する。
【００７０】
一般に、バックライト光の強度は、周囲温度だけでなく、ランプの連続点灯やランプの経年劣化などによっても変化する。そこで、図４に示す液晶表示装置３０は、外光強度Ｉｒとバックライト光強度ＩＢとに基づき透過モードか反射モードかを判定し、その判定結果に応じてオーバーシュート駆動を行うか否かを切り替える。したがって、液晶表示装置３０によれば、何らかの理由によりバックライト光の強度が変化しても、透過モードか反射モードかを正しく判定し、判定結果に応じて好適な程度のオーバーシュート駆動を行うことができる。したがって、種々の原因によりバックライト光の強度が変化する場合でも、表示品位の低下を防止しながら応答速度を速くすることができる。
【００７１】
（第２の実施形態）
図５は、本発明の第２の実施形態に係る液晶表示装置の構成を示すブロック図である。図５に示す液晶表示装置４０は、第１の実施形態に係る液晶表示装置１０において、補正回路１１を補正回路４１に置換したものである。本実施形態の構成要素のうち、第１の実施形態で説明したものについては、同一の参照符号を付して説明を省略する。
【００７２】
補正回路４１は、ＬＵＴ選択部４２、複数の透過モード用ＬＵＴ１３、複数の反射モード用ＬＵＴ４３、フレームメモリ１４、および、モード判定部１５を含んでいる。反射モード用ＬＵＴ４３は、透過モード用ＬＵＴ１３と同様に、現階調と目標階調の組合せに対応づけて信号の時間的変化を強調した補正値（補正階調）を記憶している（図９を参照）。ただし、反射モード用ＬＵＴ４３は、透過モード用ＬＵＴ１３とは異なる補正階調を記憶している。具体的には、反射モード用ＬＵＴ４３は、透過モード用ＬＵＴ１３よりも、信号の時間的変化をより少なく強調する補正階調を記憶している。透過モード用ＬＵＴ１３の個数と反射モード用ＬＵＴ４３の個数とは、同じでも異なっていてもよい。
【００７３】
ＬＵＴ選択部４２には、モード判定部１５から出力されたモード選択信号ＭＤと、Ａ／Ｄ変換器７から出力された周囲温度Ｔｏとが入力される。ＬＵＴ選択部４２は、複数の透過モード用ＬＵＴ１３と複数の反射モード用ＬＵＴ４３との中から、モード選択信号ＭＤと周囲温度Ｔｏとに基づき１つのＬＵＴを選択する。より詳細には、ＬＵＴ選択部４２は、モード選択信号ＭＤがローレベルのときには、複数の透過モード用ＬＵＴ１３の中から１つのＬＵＴを選択し、モード選択信号ＭＤがハイレベルのときには、複数の反射モード用ＬＵＴ４３の中から１つのＬＵＴを選択する。選択されたＬＵＴには、入力映像信号Ｖ１と、フレームメモリ１４に記憶された前フレームの映像信号とが入力される。このＬＵＴは、フレームメモリ１４に記憶された前フレームの映像信号を現階調、入力映像信号Ｖ１を目標階調とし、現階調と目標階調の組合せに対応した補正階調を補正映像信号Ｖ２として出力する。
【００７４】
このように補正回路４１は、外光強度Ｉｒに基づき透過モードか反射モードかを判定し、透過モードと判定したときには、入力映像信号Ｖ１に対して補正（信号の時間的変化を強調した補正）を行った結果を補正映像信号Ｖ２として出力し、反射モードと判定したときには、入力映像信号Ｖ１に対して透過モードのときとは異なる補正（信号の時間的変化を強調した補正）を行った結果を補正映像信号Ｖ２として出力する。また、補正回路４１は、複数の透過モード用ＬＵＴ１３と複数の反射モード用ＬＵＴ４３とを含み、その中からモード選択信号ＭＤと周囲温度Ｔｏとに応じて１つのＬＵＴを選択し、選択したＬＵＴを用いて補正を行う。液晶パネル１の駆動は、補正回路４１から出力された補正映像信号Ｖ２に基づき行われる。
【００７５】
図６を参照して、液晶表示装置４０の効果を説明する。ここでは、入力映像信号Ｖ１が時刻ｔ０で階調ａから階調ｂ（ｂ＞ａ）に変化する場合（図６（ａ）を参照）を考える。この場合、透過モードでオーバーシュート駆動を行わなければ、表示階調は、図６（ｃ）に太破線で示すように５フレーム時間かかってａからｂに変化するものとする。また、反射モードでオーバーシュート駆動を行わなければ、表示階調は、図６（ｅ）に太破線で示すように２フレーム時間かかってａからｂに変化するものとする。
【００７６】
補正回路４１は、透過モードと判定したときには、図６（ａ）に示す入力映像信号Ｖ１に基づき、図６（ｂ）に示す補正映像信号Ｖ２を出力する。データ信号線駆動回路４は、時刻ｔ０以降の１フレーム時間では、階調ｄ（ｄ＞ｂ）の補正映像信号Ｖ２に基づきオーバーシュート駆動を行う。ただし、階調ｄは、時刻ｔ１における表示階調がｂとなるように決定される。図６（ｂ）に示す補正映像信号Ｖ２に基づきオーバーシュート駆動を行うと、表示階調は、図６（ｃ）に太実線で示すように１フレーム時間内にａからｂに変化する。
【００７７】
また、補正回路４１は、反射モードと判定したときには、図６（ａ）に示す入力映像信号Ｖ１に基づき、図６（ｄ）に示す補正映像信号Ｖ２を出力する。データ信号線駆動回路４は、時刻ｔ０以降の１フレーム時間では、階調ｅ（ｂ＜ｅ＜ｄ）の補正映像信号Ｖ２に基づきオーバーシュート駆動を行う。ただし、階調ｅは、時刻ｔ１における表示階調がｂとなるように決定される。図６（ｄ）に示す補正映像信号Ｖ２に基づきオーバーシュート駆動を行うと、表示階調は、図６（ｅ）に太実線で示すように１フレーム時間内にａからｂに変化する。このように液晶表示装置４０によれば、透過モードでも反射モードでも、表示階調は１フレーム時間内にａからｂに変化する。
【００７８】
以上に示すように、本実施形態に係る液晶表示装置は、外光の強度に基づき透過モードか反射モードを判定し、透過モードと判定したときにはオーバーシュート駆動を行い、反射モードと判定したときには透過モードのときとは異なるオーバーシュート駆動を行う。このように判定結果に応じてオーバーシュート駆動の程度を切り替えることにより、過剰あるいは不十分なオーバーシュート駆動による表示品位の低下を防止しながら、応答時間を速くすることができる。
【００７９】
また、この液晶表示装置は、透過モードでは複数の透過モード用テーブルの中から（反射モードでは複数の反射モード用テーブルの中から）周囲温度に応じて１つのテーブルを選択し、選択したテーブルを用いてオーバーシュート駆動を行う。これにより、透過モードでも反射モードでも、いずれ温度でも好適に応答速度を速くすることができる。また、この液晶表示装置は、透過モードのときと比べて応答速度が速い反射モードでは、より少ない程度のオーバーシュート駆動を行う。したがって、透過モードでも反射モードでも、表示品位の低下を防止しながら応答速度を速くすることができる。
【００８０】
本実施形態は、オーバーシュート駆動を行わなければ、透過部の応答時間も反射部の応答時間も１フレーム時間を超える半透過型の液晶表示装置に適している。
【００８１】
（第３の実施形態）
図７は、本発明の第３の実施形態に係る液晶表示装置の構成を示すブロック図である。図７に示す液晶表示装置５０は、第１の実施形態に係る液晶表示装置１０において、補正回路１１を補正回路５１に置換したものである。本実施形態の構成要素のうち、第１および第２の実施形態で説明したものについては、同一の参照符号を付して説明を省略する。
【００８２】
補正回路５１は、ＬＵＴ選択部４２、複数の透過モード用ＬＵＴ１３、複数の反射モード用ＬＵＴ５３、フレームメモリ１４、モード判定部１５、スイッチ１６、および、スイッチ制御部５６を含んでいる。反射モード用ＬＵＴ５３は、透過モード用ＬＵＴ１３と同様に、現階調と目標階調の組合せに対応づけて信号の時間的変化を強調した補正値（補正階調）を記憶している（図９を参照）。ただし、反射モード用ＬＵＴ５３は、反射モード用ＬＵＴ４３と同様に、透過モード用ＬＵＴ１３とは異なる補正階調（具体的には、透過モード用ＬＵＴ１３よりも、信号の時間的変化をより少なく強調する補正階調）を記憶している。透過モード用ＬＵＴ１３の個数と反射モード用ＬＵＴ５３の個数とは、同じでも異なっていてもよい。
【００８３】
スイッチ制御部５６には、モード判定部１５から出力されたモード選択信号ＭＤと、Ａ／Ｄ変換器７から出力された周囲温度Ｔｏとが入力される。スイッチ制御部５６は、モード選択信号ＭＤと周囲温度Ｔｏとに基づき、スイッチ制御信号ＳＣを出力する。より詳細には、スイッチ制御部５６は、周囲温度に関する閾値Ｙを記憶し、モード選択信号ＭＤがローレベルであるか、周囲温度Ｔｏが閾値Ｙ以下であるときには、ローレベルのスイッチ制御信号ＳＣを出力し、それ以外のときには、ハイレベルのスイッチ制御信号ＳＣを出力する。
【００８４】
スイッチ１６には、ＬＵＴ選択部４２によって選択された透過モード用ＬＵＴ１３または反射モード用ＬＵＴ５３から出力された補正階調と、入力映像信号Ｖ１と、スイッチ制御信号ＳＣとが入力される。スイッチ１６は、スイッチ制御信号ＳＣがローレベルのときには補正階調を、スイッチ制御信号ＳＣがハイレベルのときには入力映像信号Ｖ１を、補正映像信号Ｖ２として出力する。
【００８５】
このように補正回路５１は、外光強度Ｉｒに基づき透過モードか反射モードかを判定し、透過モードと判定したとき、および、反射モードと判定し、かつ、周囲温度Ｔｏが閾値Ｙ以下であるときには、入力映像信号Ｖ１に対して補正（信号の時間的変化を強調した補正）を行った結果を補正映像信号Ｖ２として出力し、それ以外のときには、入力映像信号Ｖ１をそのまま補正映像信号Ｖ２として出力する。また、補正回路５１は、複数の透過モード用ＬＵＴ１３と複数の反射モード用ＬＵＴ５３とを含み、その中からモード選択信号ＭＤと周囲温度Ｔｏとに応じて１つのＬＵＴを選択し、選択したテーブルを用いて補正を行う。液晶パネル１の駆動は、補正回路５１から出力された補正映像信号Ｖ２に基づき行われる。
【００８６】
このような液晶表示装置５０によれば、第１および第２の実施形態と同様に、透過モードでも反射モードでも、表示階調は１フレーム時間内に所望の階調に変化する。
【００８７】
以上に示すように、本実施形態に係る液晶表示装置は、外光の強度に基づき透過モードか反射モードを判定し、透過モードと判定したときにはオーバーシュート駆動を行い、反射モードと判定し、かつ、周囲温度が所定値以下であるときには透過モードのときとは異なるオーバーシュート駆動を行い、それ以外のときには通常の駆動（オーバーシュート駆動でない駆動）を行う。このように判定結果と周囲温度とに応じてオーバーシュート駆動を行うか否かとオーバーシュート駆動の程度とを切り替えることにより、過剰あるいは不十分なオーバーシュート駆動による表示品位の低下を防止しながら、応答時間を速くすることができる。
【００８８】
また、この液晶表示装置は、透過モードでは複数の透過モード用テーブルの中から（反射モードでは複数の反射モード用テーブルの中から）周囲温度に応じて１つのテーブルを選択し、選択したテーブルを用いてオーバーシュート駆動を行う。したがって、透過モードでも反射モードでも、いずれ温度でも好適に応答速度を速くすることができる。また、この液晶表示装置は反射モードで周囲温度が所定値を超えるときには入力映像信号に対する補正を行わないので、周囲温度が所定値を超えるときの反射モード用テーブルは不要となる。したがって、その分だけ補正回路を簡素化することができる。また、この液晶表示装置は、透過モードのときと比べて応答速度が速い反射モードでは、より少ない程度のオーバーシュート駆動を行う。したがって、透過モードでも反射モードでも、表示品位の低下を防止しながら応答速度を速くすることができる。
【００８９】
本実施形態は、オーバーシュート駆動を行わなければ、透過部の応答時間および周囲温度が所定値以下のときの反射部の応答時間は１フレーム時間を超えるが、オーバーシュート駆動を行わなくても、周囲温度が所定値を超えたときの反射部の応答時間は１フレーム時間を超えない半透過型の液晶表示装置に適している。
【００９０】
なお、第２および第３の実施形態に係る液晶表示装置についても、第１の実施形態と同様の変形例を構成することができる。すなわち、第２および第３の実施形態に係る液晶表示装置のモード判定部も、周囲温度Ｔｏと外光強度Ｉｒ（あるいは、外光強度Ｉｒとバックライト光強度ＩＢ）に基づき透過モードか反射モードかを判定してもよい。
【００９１】
また、以上の説明では、補正回路は外光強度などに基づき透過モードか反射モードかを判定することとした。これに代えて、補正回路は、外光強度などに基づき透過モードと反射モードを含む３つ以上の動作モードのいずれであるかを判定してもよい。例えば、補正回路は、外光強度などに基づき透過モードか反射モードか中間モード（透過モードと反射モードの間）かを判定してもよい。
【００９２】
以上に示すように、本発明の液晶表示装置によれば、外光の強度に基づき透過モードか反射モードを判定し、当該判定結果に応じて入力映像信号に対する処理を切り替えることにより、外光の強度が小さく透過モードと判定されたときでも、外光の強度が大きく反射モードと判定されたときでも、判定結果に応じて好適な程度のオーバーシュート駆動を行うことができる。よって、過剰あるいは不十分なオーバーシュート駆動による表示品位の低下を防止しながら、応答速度を速くすることができる。
【図面の簡単な説明】
【００９３】
【図１】本発明の第１の実施形態に係る液晶表示装置の構成を示すブロック図である。
【図２】図１に示す液晶表示装置における映像信号および表示階調の変化を示す図である。
【図３】本発明の第１の実施形態の第１変形例に係る液晶表示装置の構成を示すブロック図である。
【図４】本発明の第１の実施形態の第２変形例に係る液晶表示装置の構成を示すブロック図である。
【図５】本発明の第２の実施形態に係る液晶表示装置の構成を示すブロック図である。
【図６】図５に示す液晶表示装置における映像信号および表示階調の変化を示す図である。
【図７】本発明の第３の実施形態に係る液晶表示装置の構成を示すブロック図である。
【図８】従来の液晶表示装置の構成を示すブロック図である。
【図９】オーバーシュート駆動で用いられるＬＵＴの構成例を示す図である。
【図１０】図８に示す液晶表示装置における映像信号および表示階調の変化を示す図である。
【図１１】従来の液晶表示装置の他の構成を示すブロック図である。
【図１２】半透過型の液晶表示装置の画素の構成を示す断面図である。
【図１３】従来の半透過型の液晶表示装置における映像信号および表示階調の変化を示す図である。
【符号の説明】
【００９４】
１…液晶パネル
２…タイミング制御回路
３…走査信号線駆動回路
４…データ信号線駆動回路
５…バックライト
６…温度センサ
７、９、３９…Ａ／Ｄ変換器
８、３８…光センサ
１０、２０、３０、４０、５０…液晶表示装置
１１、２１、３１、４１、５１…補正回路
１２、４２…ＬＵＴ選択部
１３…透過モード用ＬＵＴ
１４…フレームメモリ
１５、２５、３５…モード判定部
１６…スイッチ
４３、５３…反射モード用ＬＵＴ
５６…スイッチ制御部
Ｖ１…入力映像信号
Ｖ２…補正映像信号
Ｔｏ…周囲温度
Ｉｒ…外光強度
ＩＢ…バックライト光強度
ＭＤ…モード選択信号
ＳＣ…スイッチ制御信号
【図１】
2007233061.tif 000003
【図２】
2007233061.tif 000004
【図３】
2007233061.tif 000005
【図４】
2007233061.tif 000006
【図５】
2007233061.tif 000007
【図６】
2007233061.tif 000008
【図７】
2007233061.tif 000009
【図８】
2007233061.tif 000010
【図９】
2007233061.tif 000011
【図１０】
2007233061.tif 000012
【図１１】
2007233061.tif 000013
【図１２】
2007233061.tif 000014
【図１３】
2007233061.tif 000015